(57)【特許請求の範囲】
【請求項１】
加熱コイル、スイッチング素子等で構成された誘導加熱を行うための高周波電源と、被加熱物の温度を測定する温度検知手段と、前記高周波電源の出力を設定する火力設定手段と、前記温度検知手段の出力や、火力設定手段の設定に従って前記高周波電源の出力の増減や出力停止を行う制御手段と、被加熱物の鍋等を搭載し、前記高周波電源を構成する前記加熱コイルの上方に設置され前記加熱コイルから出力される磁束を透過する天板とを備え、前記天板は、同一平面状に、かつその端面の一部が平行するように設置された複数のプレートによって構成され、前記複数のプレートの端面の一部に凹状の開口部を設け、その開口部に温度検知手段を設けた誘導加熱調理器。
【請求項２】
天板を構成する複数のプレートの端面の一部に設けた開口部近傍の板厚をその他の部分より厚くした請求項１記載の誘導加熱調理器。
【発明の詳細な説明】
【０００１】
【発明の属する技術分野】
本発明は、誘導加熱調理器に関するものである。
【０００２】
【従来の技術】
従来の一般的な誘導加熱調理器の構成を説明する。
従来の誘導加熱調理器の平面略図を図６の（ａ）に示し図６の（ａ）におけるＡ−Ａ断面を（ｂ）に示す。
【０００３】
まず図６において、１は被加熱物の鍋２を加熱するための磁力線を発生させる加熱コイル、３は、磁力線を透過し被加熱物の鍋２を搭載するセラミック製の天板である。４は温度検知手段で、天板３の下面中央に天板３の下面に接して配置され、天板３を介して伝わる被加熱物の鍋２の温度を測定しているものである。
【０００４】
または、この温度検知手段４を天板３に開けた穴部に設けている構成もある。
【０００５】
そして天板３は樹脂製のケース５によりその周囲を支えられた構成になっている。
【０００６】
この構成によれば、加熱コイル１から発生した磁力線が天板３を透過し鍋２に吸収されることにより、鍋２自身が発熱し調理を行うものである。
【０００７】
このとき天板３は、鍋２の荷重を支えかつ鍋２の熱にも耐える素材としてセラミックや強化ガラスのプレートが用いられることが一般的である。
【０００８】
【発明が解決しようとする課題】
しかしながら以上に示す図６の従来の誘導加熱調理器の構成では、鍋２の大きさを支えるために、天板３はおよそ２６０ｍｍ四方の大きさがあるが、この大きさの天板をケース５に接する周囲のみで支えているため衝撃に弱く、大きな重い鍋を天板３上に落下させた場合には天板３が破損してしまい、天板３の交換には高額な費用を必要としていた。
【０００９】
また天板３の中央に温度検知手段４の穴部を設けたものは、平面の板に後から開けたこの穴部周辺ではさらに衝撃に対しては弱くて破損しやすいものであった。
【００１０】
また破損を防ぐには、天板３の厚さを厚くすればよいが、天板３が高価になってしまうとともに、天板３そのものの熱容量が大きくなるため天板３の下面に設置され被加熱物の鍋２等の温度を測定する温度検知手段４の精度が悪くなってしまう、という課題があった。
【００１１】
【課題を解決するための手段】
また、上記課題を解決するために本発明は、天板において、その平行している複数のプレートの端面の一部に凹状の開口部を設け、その開口部に前記温度検知手段を設けたことにより、衝撃を分散させるようにしている。
【００１２】
また上記課題を解決するために本発明は、天板を構成する複数のプレートの端面の一部に設けた開口部近傍の板厚をその他の部分より厚くしたことにより、開口部への衝撃に対して強度を増しているものである。
【００１３】
【発明の実施の形態】
本発明の目的は、各請求項に記載した構成を実施の形態とすることにより達成することができるので、以下には各請求項の特徴とする構成に作用を併記して実施の形態の意義を理解しやすく説明することとする。
【００１４】
本発明の請求項１記載の発明の加熱調理器は、平行している複数のプレートの端面の一部に凹状の開口部を設け、その開口部に前記温度検知手段を、設けたもので、プレート上面に露出した温度検知手段により被加熱物の温度を精度良く測定しつつ、その開口部の凹形状は、プレート端面の加工により設けられているため、プレート中央に設けられた穴部よりは衝撃に強いという作用を得るものである。
【００１５】
本発明の請求項２記載の発明の加熱調理器は、天板を構成するプレートの開口部において、その開口部近傍の板厚をその他の部分より厚くしたため、衝撃に対する強度を増すという作用を得るものである。
【００１６】
【実施例】
以下、本発明の実施例を図面を参照して説明する。なお、図１〜図５において図６に示す従来例と同一構成部分については同一符号を付与して詳細な説明を省略する。
【００１７】
（実施例１）
図１に本発明の実施例１における構成を示す。
【００１８】
図１において、３は天板で、一端を密着して平行して合わせている複数のプレート３ａと３ｂにより構成されている。このプレート３ａと３ｂは、樹脂製のケース５によって周囲を支えられている。
【００１９】
この上に鍋２を置き、天板３の下方に設置された加熱コイル１からの磁束を受けた鍋２が誘導加熱されその鍋２の中の調理物が加熱調理されるものである。
【００２０】
この構成において、万一天板３の中央部に鍋２を誤って落下した場合でも、その落下の衝撃は、２枚のプレート３ａと３ｂに分散され、かつプレート３ａと３ｂが設置されているケース５の変形により、プレート３ａと３ｂはその境界部分が下方にたわむため鍋の落下の衝撃を受け止める。従って高価な天板３を構成するプレート３ａまたは３ｂを破損する危険は少ない。
【００２１】
（実施例２）
図２に本発明の実施例２における構成を示す。
【００２２】
図２において、４は、温度検知手段で、凹状に切り欠いた端面を合わせた２枚のプレート３ａと３ｂによってできた開口部６に設けられ、２枚のプレート３ａと３ｂによって構成された天板３上に設置されて誘導加熱される鍋２の温度を精度良く測定しているものである。
【００２３】
この構成において、万一天板３の中央部に鍋２を誤って落下した場合でも、その落下の衝撃は、２枚のプレート３ａと３ｂに分散され、かつプレート３ａと３ｂが設置されているケース５の変形により、プレート３ａと３ｂはその境界部分が下方にたわむため鍋の落下の衝撃を受け止めることとなる。従って精度良く温度を検知する構成をとりながら高価な天板を構成するプレート３ａまたは３ｂを破損する危険は少ない。
【００２４】
（実施例３）
本発明の実施例３における構成を図３に示す。
【００２５】
図３におて、２枚のプレート３ａと３ｂの合わせた隙間を伸縮自在な緩衝部材である耐熱性のシリコン接着剤７にて接続しているものである。
【００２６】
この構成で万一天板３上に液体をこぼしても加熱コイル１までその液体が侵入することはない。従って液体が加熱コイル１に接触して招く加熱コイル１の破損など不慮の問題を未然に防ぐことができる。
【００２７】
（実施例４）
本発明の実施例４における構成を図４を用いて説明する。
【００２８】
図４に示すように、２枚のプレート３ａと３ｂの端面の一部に設けた開口部の近傍である３ａ１と３ｂ１の板厚をその他の部分よりも厚くした構成としているため、万一の鍋２等の落下による衝撃にも耐えうる構成となっている。
【００２９】
（実施例５）
図５に本発明の加熱調理器の実施例５における構成を示す。
【００３０】
図５に示すように。２枚のプレート３ａと３ｂにより構成された天板３の周囲に肉厚の壁８を設けているため、強度が増し万一の鍋２等の落下による衝撃にも耐えうる構成となっている。
【００３１】
【発明の効果】
また以上のように請求項１記載の発明によれば、凹状に切り欠いた端面を合わせた複数のプレートによってできた開口部に温度検知手段が設けられ、そのプレート上に設置された鍋の温度を精度良く測定できるようにしながら、万一天板の中央部に鍋を誤って落下した場合にも、その落下の衝撃は、複数のプレートに分散され、その複数のプレートが設置されているケースの変形により、複数のプレートの境界部分が下方にたわむためその落下の衝撃を受け止めるようにしたもので、精度の良い温度検知構成を取りながらも、安全で壊れにくいという効果を得ることができる。
【００３２】
請求項２記載の発明によれば、複数のプレートの端面の一部に設けた開口近傍の板厚をその他の部分よりも厚くした構成としているため、万一の鍋等の落下による衝撃にも耐えうるという効果が得られる。
【図面の簡単な説明】
【図１】  （ａ）本発明の実施例１における誘導加熱調理器の構成を示す上面図
（ｂ）同（ａ）のＡ−Ａ断面図
【図２】  （ａ）本発明の実施例２における誘導加熱調理器の構成を示す上面図
（ｂ）同（ａ）のＡ−Ａ断面図
【図３】  （ａ）本発明の実施例３における誘導加熱調理器の構成を示す上面図
（ｂ）同（ａ）の局部拡大断面図
【図４】  （ａ）本発明の実施例４における誘導加熱調理器の構成を示す上面図
（ｂ）同（ａ）の局部拡大断面図
【図５】  （ａ）本発明の実施例５における誘導加熱調理器の構成を示す上面図
（ｂ）同（ａ）のＡ−Ａ断面図
【図６】  （ａ）従来例における誘導加熱調理器の構成を示す上面図
（ｂ）同（ａ）のＡ−Ａ断面図
【符号の説明】
１  加熱コイル
２  鍋
３  天板
３ａ，３ｂ  プレート
３ａ１，３ｂ１  開口部の近傍
４  温度検知手段
５  ケース
６  開口部
７  シリコン接着剤
８  壁
【図１】
0003736299.tif 000002
【図２】
0003736299.tif 000003
【図３】
0003736299.tif 000004
【図４】
0003736299.tif 000005
【図５】
0003736299.tif 000006
【図６】
0003736299.tif 000007